(57)【要約】【課題】グラウト材の注入作業が必要になる。【解決手段】横長状の継手本体１の両端面に、継手本体の長さの１／２より浅い、ネジフシ鉄筋Ｔ、Ｔａのネジ山Ｍ、Ｍａと同ピッチの螺旋溝３、3aを有する２個のネジ孔２、2aを同軸線上に配置し穿設して、該２個のネジ孔２、2a間部位をネジフシ鉄筋Ｔ、Ｔａにおける螺入端部Ｅ、Ｅａの当接壁部４とした鉄筋用継手のネジ孔２、2aに２本のネジフシ鉄筋Ｔ、Ｔａをねじ込んで上記当接壁部４に突設させた後、レンチ等の締付け工具で更にねじ込むことで、当接壁部４からの反発力によりネジフシ鉄筋Ｔ、Ｔａ側のネジ山Ｍ、Ｍａを螺旋溝３、3a側の側面７、7aに緊密に密着させネジフシ鉄筋Ｔ、Ｔａを一体化させることでグラウト材が不要になる。【選択図】図３
2009203669.tif 000002
【特許請求の範囲】
【請求項１】
横長状の継手本体の両端面に、継手本体の長さの１／２より浅い、ネジフシ鉄筋のネジ山と同ピッチの螺旋溝を有する２個のネジ孔を同軸線上に配置し穿設して、該２個のネジ孔間部位をネジフシ鉄筋における螺入端部の当接壁部としたことを特徴とする鉄筋用継手。
【発明の詳細な説明】
【技術分野】
【０００１】
本発明は、鉄筋コンクリートに埋設する２本のネジフシ鉄筋を連結する鉄筋用継手に関する。
【背景技術】
【０００２】
従来、２本のネジフシ鉄筋を直線状に連結する鉄筋用継手としては、外形が円筒状又は６角形状で、内部にネジ孔を貫設し、外側面よりネジ孔に至るグラウト材充填用の注入孔を穿設したものが一般的で、かかる鉄筋用継手のネジ孔の両端部から２本のネジフシ鉄筋の端部を中央で近接させるまで螺入した後、注入孔よりグラウト材をネジ孔とネジフシ鉄筋間に充填する形式のものである（例えば、特許文献１、２参照）。
【０００３】
【特許文献１】特許第３８０７６０４号公報（請求項１、図１−２）
【特許文献２】特許第３８１７３４０号公報（請求項１、図３）
【発明の開示】
【発明が解決しようとする課題】
【０００４】
しかし、上記従来技術にあっては、グラウト材の注入作業が必要になったり、一方のネジフシ鉄筋に装着した状態で型枠にセット後にコンクリートを打設して、打継ぎ面に対し埋設状態とした後に他方の鉄筋をねじ込むことができず、仮にできたとしても、注入孔が塞がれてしまってグラウト材を注入できないため、埋設用として使用できないなど、解決せねばならない課題があった。
【課題を解決するための手段】
【０００５】
本発明は、上記従来技術に基づく、グラウト材の注入作業が必要な課題及び埋設用としては使用できない課題に鑑み、横長状の継手本体の両端面に、継手本体の長さの１／２より浅い、ネジフシ鉄筋のネジ山と同ピッチの螺旋溝を有する２個のネジ孔を同軸線上に配置し穿設して、該２個のネジ孔間部位をネジフシ鉄筋における螺入端部の当接壁部とした鉄筋用継手のネジ孔に２本のネジフシ鉄筋をねじ込んで上記当接壁部に突設させた後、レンチ等の締付け工具で更にねじ込むことで、当接壁部からの反発力によりネジフシ鉄筋側のネジ山を螺旋溝側の側面に緊密に密着させ一体化させることによって、グラウト材を不要にし、而も埋設使用時には予め他方のネジ孔を蓋で塞いでおき、コンクリート打設後に蓋を除去することで対応可能にして、上記課題を解決する。
【発明の効果】
【０００６】
要するに本発明は、横長状の継手本体の両端面に、ネジフシ鉄筋のネジ山と同ピッチの螺旋溝を有する２個のネジ孔を同軸線上に配置し穿設したので、ネジフシ鉄筋における螺入端部のネジ山全体を、ネジ孔の螺旋溝の側面に当接させることが出来、又上記２個のネジ孔を継手本体の長さの１／２より浅くして、それらの間にネジフシ鉄筋における端部の当接壁部を形成したので、ネジ孔にねじ込んだネジフシ鉄筋の先端が当接壁部に当接してそれ以上のねじ込みを完全に防止することができるため、２本のネジフシ鉄筋の両方共に必要螺入量を確実に確保することが出来る。
又、当接後更にねじ込むことで当接壁部からの反発力によりネジフシ鉄筋側のネジ山を螺旋溝側の溝壁面に緊密に密着させ一体化させることができることから、グラウト材を注入しなくてもネジフシ鉄筋と一体化することが出来るため、従来のグラウト材の注入孔の形成及びグラウト材の注入作業を不要にすることが出来、よって打継ぎ面に他端面側を露出させるべく埋設して使用することが出来、而も埋設しても一方のネジ孔内に侵入したコンクリート成分を含んだ水分、所謂『ノロ』は、当接壁部により他方のネジ孔内への侵入を防止できるため、他方のネジフシ鉄筋の連結時の前処理作業の省力化を図ることができる等その実用的効果甚だ大である。
【発明を実施するための最良の形態】
【０００７】
以下本発明の一実施例を図面に基づいて説明する。
図１、２は、本発明に係る鉄筋用継手の正面図及びＸ−Ｘ断面図であり、図３に示す様に、表面にネジ山Ｍ、Ｍａを突設形成した鉄筋コンクリート埋め込み用の２本のネジフシ鉄筋Ｔ、Ｔａの両突き合せ端部Ｅ、Ｅａに対して、上記鉄筋用継手を取付けて、建設現場等においてネジフシ鉄筋Ｔ、Ｔａの両端部Ｅ、Ｅａを連結し、コンクリートを打設して鉄筋コンクリート内に連結されたネジフシ鉄筋Ｔ、Ｔａを埋設する様に成している。
【０００８】
本発明に係る鉄筋用継手にあっては、図１、２に示す様に、筒状の継手本体１の両端面中央に、２本のネジフシ鉄筋Ｔ、Ｔａの両端部Ｅ、Ｅａを両方向から挿入する２個のネジ孔２、2aを設け、該ネジ孔２、2a側の継手本体１の内周面にネジフシ鉄筋Ｔ、Ｔａにおけるネジ山Ｍ、Ｍａを遊嵌可能な螺旋溝３、3aを刻設し、該螺旋溝３、3aのピッチをネジフシ鉄筋Ｔ、Ｔａのネジ山Ｍ、Ｍａと同ピッチに設定している。
又、上記２個のネジ孔２、2aは同軸線上に配置され、上記継手本体１の長さＬの１／２より浅くして、それらの間に、ネジフシ鉄筋Ｔ、Ｔａの両端部Ｅ、Ｅａの当接壁部４を形成している。
【０００９】
又、継手本体１の外形は概ね円周面部５で、両端部だけを、締付け工具のための六角面部６、6aとしている。
【００１０】
次に本発明に係る鉄筋用継手による連結方法及び作用について説明する。
（１）上記鉄筋用継手における一方のネジ孔２に対し一方のネジフシ鉄筋Ｔの端部Ｅをねじ込む様に、一方のネジフシ鉄筋Ｔに対し上記鉄筋用継手を螺合する（図４（ａ）、図４（ｂ）参照）。
（２）一方のネジフシ鉄筋Ｔの端部Ｅが当接壁部４に突設した時点で、上記鉄筋用継手の一方の六角面部６に締付け工具をセットして締め付ける（図４（ｂ）、図４（ｃ）参照）。
（３）上記鉄筋用継手における他方のネジ孔2aに対し他方のネジフシ鉄筋Ｔａの端部Ｅａをねじ込んで、他方のネジフシ鉄筋Ｔａに対し上記鉄筋用継手を螺合する（図５（ａ）、図５（ｂ）参照）。
（４）他方のネジフシ鉄筋Ｔａの端部Ｅａが当接壁部４に突設した時点で、他方のネジフシ鉄筋Ｔａを締付け工具で締め込む（図５（ｂ）、図５（ｃ）参照）。
【００１１】
次に、鉄筋用継手の打継ぎ部に埋設する場合の連結方法及び作用について説明する。
（１ａ）上記（１）工程と同じ。
（２ａ）上記（２）工程と同じ。
（３ａ）上記鉄筋用継手における他方のネジ孔2aに蓋Ｃを被せた後、コンクリートを打設し、該コンクリートの養生硬化後、脱型し他方のネジ孔2aに蓋Ｃを外す（図６（ａ）参照）。
（４ａ）上記（３）工程と同じ（図６（ａ）、図６（ｂ）参照）。
（５ａ）上記（４）工程と同じ（図６（ｂ）、図６（ｃ）参照）。
【００１２】
すると、上記（２）、（２ａ）工程時及び上記（４）、（５ａ）工程時に、鉄筋用継手における螺旋溝３、3aに対し遊嵌状態であるネジフシ鉄筋Ｔ、Ｔａのネジ山Ｍ、Ｍａにおける端部Ｅ、Ｅａ側とは反対側の側面Ｎ、Ｎａが、螺旋溝３、3aのネジ孔２、2aの開口側の側面７、7aに密着し、更にネジフシ鉄筋Ｔ、Ｔａをねじ込むことで、当接壁部４からの反発力により更に密着度が増して、ネジフシ鉄筋Ｔ、Ｔａと一体化する。
【００１３】
特に、図６（ａ）乃至図６（ｃ）に示す工法にあっては、たとえ埋設状態の鉄筋用継手の一方のネジ孔２内にコンクリート成分を含んだ水分、所謂『ノロ』が侵入しても、当接壁部４により他方のネジ孔2a内に侵入することはない。
【図面の簡単な説明】
【００１４】
【図１】本発明に係る鉄筋用継手の正面図である。
【図２】図１のＸ−Ｘ断面図である。
【図３】図１の鉄筋用継手により２本のネジフシ鉄筋を連結した状態を示す断面図である。
【図４（ａ）】図１の鉄筋用継手による打継ぎ工程における一方のネジフシ鉄筋のねじ込み前の状態を示す断面図である。
【図４（ｂ）】図１の鉄筋用継手による打継ぎ工程における一方のネジフシ鉄筋の当接壁部への当接時の状態を示す断面図である。
【図４（ｃ）】図１の鉄筋用継手による打継ぎ工程における一方のネジフシ鉄筋の締め込み時の状態を示す断面図である。
【図５（ａ）】図１の鉄筋用継手による打継ぎ工程における他方のネジフシ鉄筋のねじ込み前の状態を示す断面図である。
【図５（ｂ）】図１の鉄筋用継手による打継ぎ工程における他方のネジフシ鉄筋の当接壁部への当接時の状態を示す断面図である。
【図５（ｃ）】図１の鉄筋用継手による打継ぎ工程における他方のネジフシ鉄筋の締め込み時の状態を示す断面図である。
【図６（ａ）】図１の鉄筋用継手による埋設した状態での打継ぎ工程における他方のネジフシ鉄筋のねじ込み前の状態を示す断面図である。
【図６（ｂ）】図１の鉄筋用継手による埋設した状態での打継ぎ工程における他方のネジフシ鉄筋の当接壁部への当接時の状態を示す断面図である。
【図６（ｃ）】図１の鉄筋用継手による埋設した状態での打継ぎ工程における他方のネジフシ鉄筋の締め込み時の状態を示す断面図である。
【符号の説明】
【００１５】
１        継手本体
２、2a    ネジ孔
３、3a    螺旋溝
４        当接壁部
Ｔ、Ｔａ  ネジフシ鉄筋
Ｍ、Ｍａ  ネジ山
Ｅ、Ｅａ  端部
【図１】
2009203669.tif 000003
【図２】
2009203669.tif 000004
【図３】
2009203669.tif 000005
【図４（ａ）】
2009203669.tif 000006
【図４（ｂ）】
2009203669.tif 000007
【図４（ｃ）】
2009203669.tif 000008
【図５（ａ）】
2009203669.tif 000009
【図５（ｂ）】
2009203669.tif 000010
【図５（ｃ）】
2009203669.tif 000011
【図６（ａ）】
2009203669.tif 000012
【図６（ｂ）】
2009203669.tif 000013
【図６（ｃ）】
2009203669.tif 000014